(57)【要約】【課題】  使用機能を確実に保護するメモリカードの接続器を提供する。【解決手段】  絶縁台１、金属カバー２及び複数組の接続端子から構成されている。絶縁台１は前端に複数組の端子溝及び一つの検測端子溝が設けられ、両側にはそれぞれ側壁１３がある。金属カバー２は絶縁台１とつり合って蓋をする。複数組の接続端子の一端は挿入部で、他端は接触端であり、それらはそれぞれ絶縁台１の各端子溝に対応して設けられている。検測端子溝には同時に選定接続端子と検測端子とが設けられ、検測端子と同じ溝の選定接続端子は左右並列に現れ、かつ前後にずれた接触端がある。上記部材の組合せにより、検測端子とそれにつり合った接続端子は左右並列に現れ、かつ前後にずれた接触端があるので、メモリカードが挿入されると、順番に接続端子と検測端子の接触端と接触し、検測動作を完成することが可能である。【選択図】    図２
0003102244.tif 000002
【実用新案登録請求の範囲】
【請求項１】
メモリカードの接続器であって、絶縁台、金属カバー及び複数組の接続端子から構成され、
絶縁台は前端に複数組の端子溝及び一つの検測端子溝が設けられ、両側にはそれぞれ側壁があり、
金属カバーは上記絶縁台とつり合って蓋し、
複数組の接続端子の一端は挿入部で、他端は接触端であり、それらはそれぞれ絶縁台の各端子溝に対応して設けられ、検測端子溝には同時に選定接続端子と検測端子とが設けられ、その検測端子と同じ溝の選定接続端子は左右並列に現れ、かつ前後にずれた接触端があり、
上記部材の組合せにより、検測端子とそれにつり合った接続端子は左右並列に現れ、かつ前後にずれた接触端があるので、メモリカードが挿入されると、順番に接続端子と検測端子の接触端と接触し、検測動作を完成可能であることを特徴とするメモリカードの接続器。
【請求項２】
絶縁台は、冂形に現れる台であり、かつ単一スロットまたは複合スロットの形態を有することを特徴とする請求項１記載のメモリカードの接続器。
【請求項３】
絶縁台の両側壁選定位置には、それぞれ嵌め溝が設けられてアースプレートの固定嵌め込みに供されることを特徴とする請求項１記載のメモリカードの接続器。
【請求項４】
アースプレートには、溶接部があり、かつ外壁には突起止めが設けられていることを特徴とする請求項１記載のメモリカードの接続器。
【請求項５】
絶縁台の台前端両側及び両側壁の四つ角位置には、それぞれ嵌め付け溝が設けられ、かつ金属カバーの相対につり合った位置にもそれぞれ嵌め込み片が設けられており、四つ角の嵌め付け溝は嵌め込み片の挿入固定に供されることを特徴とする請求項１記載のメモリカードの接続器。
【請求項６】
絶縁台の側壁には、折り曲げ部のある当て押しばねが設けられ、かつ当て押しばねの上側対応位置の金属カバーにも折り曲げ部のある第一押し下げばねが設けられていることを特徴とする請求項１記載のメモリカードの接続器。
【請求項７】
絶縁台の側壁には、活動台が取り付けられ、活動台の一端面にはＹ形のガイドレールが設けられ、ガイドレールには高さの違う選定された段差があって制動棒の嵌め付けに供され、また、その対応上側の金属カバーには制動棒を当て押す第二押し下げばねが設けられていることを特徴とする請求項１記載のメモリカードの接続器。
【考案の詳細な説明】
【技術分野】
【０００１】
本考案は、メモリカードの接続器の構成設計を提供するもので、特に、検測端子と接続端子の組合せ形態を変えて、検測端子と接続端子は左右並列に現れ、かつ前後にずれた接触端があるので、メモリカードの挿入端が不正常に検測端子を圧迫することが避けられ、接続器の使用機能を確実に保護する。
【背景技術】
【０００２】
従来のメモリカードは単一挿入または複合挿入等各種形態に設けられ、単一メモリカードまたは多種メモリカードのアクセス機能を提供する。従来のメモリカードの接続器の構成の主要は、絶縁台及び複数組の接続端子が含まれ、かつ違う形式のメモリカードと組み合わせられる単一スロットまたは複合スロットが設けられており、メモリカードが挿入されると、直ちに接続端子と接続して情報のアクセス作用を提供する。
【０００３】
上記従来のメモリカードの接続器はメモリカードが接続器に挿入された後、先ず一つまたは二つの検測端子を接続してから、資料のアクセスを行うことができるので、絶縁台の中に於いて電気接続器に他に検測端子が設けられないと、メモリカードは機能を発揮することができない。すなわち、図１９に示す如く、従来の検測端子のある接続器は、絶縁台１０の一つの選定接続端子２０に対応して設けられ、更に上下にずらした検測端子３０が設け加えられ、メモリカード４０が挿入されると、選定接続端子２０と接触して接続される外、更に、検測端子３０を当て押して接触し、検測端子３０は下へ圧迫する力を受けて接続端子２０と接触し、これによって、検測機能を獲得する。ところが、このような従来の検測装置は、接続端子２０とメモリカードが接触するとき、自身はすでに押さえられて降下しているので、検測端子３０を更に下げて接続端子２０と接触させるのが難しく、特に、メモリカード４０が挿入される前は、少々上向きの形態に現れていて、メモリカード４０の挿入端と互いに干渉しやすく、もし挿入が少しでも偏れば、検測端子３０は変形して損害してしまうので、従来の検測端子３０は長時間にわたって良い接触効果を維持することができず、かつ一旦検測端子３０が変形して壊れると、電気接続器は直ちに機能を失ってしまう。
【考案の開示】
【考案が解決しようとする課題】
【０００４】
そこで、本考案の目的は、接続器の機能が失われないメモリカードの接続器を提供することにある。
【課題を解決するための手段】
【０００５】
メモリカードの接続器の構成設計の一種で、特に、検測端子と接続端子は左右並列に現れ、かつ前後にずれた接触端子があり、メモリカードが挿入されると、接続端子と検測端子は接触して順番に検測動作が完成し、検測端子が圧迫変形して接続器の機能が失わないように保証し、更に、接続器の金属カバーはアースプレートに接続されて電磁波の干渉を除去する効果が得られる。
【考案を実施するための最良の形態】
【０００６】
図１及び図２に示す如く、本考案の一実施例によるメモリカードの接続器の設計の主要は、絶縁台１、金属カバー２及び複数組の接続端子３から構成されている。
絶縁台１は、図３に示す如く、概して冂形の台で、それの前端には複数組の端子溝１１及び一つの検測端子溝１２が設けられ、両側にはそれぞれ側壁１３があり、かつ絶縁台１は単一スロットまたは複合スロットの形態に選定実施され、単一メモリカードまたは多種メモリカードの選定通用挿入に適用されてカードの読み取り（資料のアクセス）を行う。
【０００７】
金属カバー２は、図３に示す如く、上記絶縁台１とつり合って蓋する。
複数組の接続端子３は一端が挿入部で、他端が接触端であり、それらはそれぞれ絶縁台１の各端子溝１１に対応して設けられているが、検測端子溝１２には同時に選定接続端子３ａと検測端子４とが設けられ、検測端子４と同じ溝の選定接続端子３ａは左右並列に現れ、かつ前後にずれた接触端４１及び接触端３１ａがあり、詳細は、図５に示す如く、前記検測端子４と選定接続端子３ａとは並列して検測端子溝１２に設けられているが、検測端子４と選定接続端子３ａの接触端４１と接触端３１ａとはそれぞれ高さが違う前後にずれている。
【０００８】
上記部材の組合せにより、検測端子４とつり合う接続端子３ａは左右並列に現れ、かつ前後にずれた接触端４１及び接触端３１ａがあるので、メモリカード５が挿入されると、接続端子３ａと検測端子４の接触端４１と接触端３１ａとは順番に接触し、精確に検測動作を完成することができ、検測端子４はすでに下へ圧迫接触する伝統的釣り合った組合せを捨てており、接触性は極めていいので、メモリカード５の挿入端とは持ち当たる干渉が起こらず、偏りまたは変形する恐れはない。
【０００９】
図６及び図７に示す如く、上記絶縁台１の両側壁１３の選定位置にはそれぞれ止め溝１３１が設けられてアースプレート１４の固定嵌め付けに供され、アースプレート１４には溶接部１４１があって回路板（メインボード）への溶接に供され、外壁には突起止め１４２が設けられ、金属カバー２が絶縁台１を蓋すると、よい接触状態が得られる（図８及び図９に示す如く）。
【００１０】
図３に示す如く、上記絶縁台１はそれぞれ台前端両側及び両側壁１３の四つ角位置に嵌め付け溝１５が設けられ、かつ金属カバー２の相対につり合った位置にもそれぞれ嵌め込み片２１が設けられており、四つ角の嵌め付け溝１５と嵌め込み片２１は同時に挿入固定の結合を形成し（図１０及び図１１の局部意表の如く）、それは硬質金属蓋２によって絶縁台１をしっかり支え、それに周囲溶接が行われても、絶縁台１は熱によって変形する恐れがないので、品質に影響しないことが保証される。
【００１１】
図１、図２及び図１２に示す如く、前記絶縁台１の一側壁１３にはメモリカードの押し持ち構造が設けられ、側壁１３には折り曲げ部１６１のある当て押しばね１６が設けられ、かつ当て押しばね１６の上側対応位置の金属カバーにも折り曲げ部のある第一押し下げばねが設けられており、これにより、メモリカード５の挿入過程に於いて、第一押し下げばね１６１によってメモリカードは当て持ちされ、上へ偏ることを防ぎ、挿入された後は、当て持ちばね１６の折り曲げ部１６１を利用してメモリカード５の止め溝個所に嵌め込み、安定した挿入組合せが得られる。
【００１２】
図１、図２、図１３及び図１４に示す如く、絶縁台１の一側壁１３にはカード５の挿入と脱出に供される一組のカード着脱装置が取り付けられ、それは絶縁台１の一側壁１３に活動台１７が取り付けられており、活動台１７内には伸縮ばね１８が設けられ、かつメモリカード５の挿入動作に合わせて絶縁台１内で自由にスライドすることができ、活動台１７の一端面には概してＹ形に現れるガイドレール溝１７１が設けられ、ガイドレール溝には高さの違う選定された段差があって制動棒１７２の嵌め付けに供され、また、その対応上側の金属カバー２には制動棒１７２を当て押す第二押し下げばね２３が設けられており、メモリカード５は活動台１７を押し動かし、制動棒１７２によってＹ形ガイドレール溝１７１の定位置凹溝１７３まで進み、メモリカード５は停止状態になるが、メモリカード５をもう一度中へ押すと、制動棒１７２は直ちに定位置凹溝１７３から離脱し、Ｙ形ガイドレール溝１７１の別段レールに沿って元の位置へ戻ることができ（図１６から図１８の連続動作意表図を参照ください）、メモリカード５の挿入と退出動作を完成する。
【００１３】
ところで、前記実施例は本考案の技術範囲を制限するものではなく、およそその他同等効果の変更及び入れ替えに関する技術はすべて同一理論の運用であり、本考案の技術特徴を離脱しないものと見なすべきである。
【００１４】
本考案の主な目的は、メモリカードの接続器の構成設計を提供するもので、それは検測端子と接続端子は左右並列に表れ、かつ前後にずれた接触端子があるので、メモリカードが挿入されると接続端子と検測端子は順番に接触して検測動作を確実に完成し、検測端子はよりよい安定接触効果があるようになり、検測端子が圧迫変形して接続器の機能を失うことがなくなる。
【００１５】
本考案の次の目的は、メモリカードの接続器の構成設計を提供するもので、接続器にはアースプレートがあり、接続器の金属カバーはアースプレートに接続されて、接続器は更に電磁波の干渉を除去する効果が得られる。
【図面の簡単な説明】
【００１６】
【図１】本考案の一実施例によるメモリカードの接続器を示す分解斜視図である。
【図２】本考案の一実施例によるメモリカードの接続器を示す斜視図である。
【図３】本考案の一実施例によるメモリカードの接続器の絶縁台を示す斜視図である。
【図４】本考案の一実施例によるメモリカードの接続器の金属カバーの裏面を示す斜視図である。
【図５】本考案の一実施例によるメモリカードの接続器の検測端子と同溝の接続端子の並列の組合せ状態を示す斜視図である。
【図６】本考案の一実施例によるメモリカードの接続器の絶縁台にアース構造が設置されている状態を示す分解斜視図である。
【図７】本考案の一実施例によるメモリカードの接続器の絶縁台にアース構造が設置されている状態を示す模式図である。
【図８】本考案の一実施例によるメモリカードの接続器の絶縁台にアース構造が設置されている状態を示す斜視図である。
【図９】本考案の一実施例によるメモリカードの接続器の絶縁台にアース構造が設置されている状態を示す模式図である。
【図１０】本考案の一実施例によるメモリカードの接続器の金属カバーを絶縁台に嵌め付けて組み合わせた状態を示す局部断面図である。
【図１１】本考案の一実施例によるメモリカードの接続器の金属カバーを絶縁台に嵌め付けて組み合わせた状態を示す局部断面図である。
【図１２】本考案の一実施例によるメモリカードの接続器のメモリカードの押し持ち構造を示す局部断面図である。
【図１３】本考案の一実施例によるメモリカードの接続器のカード着脱装置を示す斜視図である。
【図１４】本考案の一実施例によるメモリカードの接続器のカード着脱装置を示す断面図である。
【図１５】本考案の一実施例によるメモリカードの接続器のメモリカードが挿入された後の状態を示す斜視図である。
【図１６】本考案の一実施例によるメモリカードの接続器のメモリカードの挿入と退出を現した連続動作を示す斜視図である。
【図１７】本考案の一実施例によるメモリカードの接続器のメモリカードの挿入と退出を現した連続動作を示す斜視図である。
【図１８】本考案の一実施例によるメモリカードの接続器のメモリカードの挿入と退出を現した連続動作を示す斜視図である。
【図１９】従来のメモリカードの接続器の断面図である。
【符号の説明】
【００１７】
１  絶縁台、２  金属カバー、３  接続端子、３ａ  接続端子、４  検測端子、５  メモリカード、１１  端子溝、１２  検測端子溝、１３  側壁、１４  アースプレート、１５  嵌め込み溝、１６  当て持ちばね、１７  活動台、１８  伸縮ばね、２１  嵌め込み片、２２  第一押し下げばね、２３  第二押し下げばね、３１ａ  接触端、４１  接触端、１３１  止め溝、１４１  溶接部、１４２  突起止め、１６１  折り曲げ部、１７１  ガイドレール、１７２  制動棒、１７３  定位置凹溝、２２１  折り曲げ部
【図１】
0003102244.tif 000003
【図２】
0003102244.tif 000004
【図３】
0003102244.tif 000005
【図４】
0003102244.tif 000006
【図５】
0003102244.tif 000007
【図６】
0003102244.tif 000008
【図７】
0003102244.tif 000009
【図８】
0003102244.tif 000010
【図９】
0003102244.tif 000011
【図１０】
0003102244.tif 000012
【図１１】
0003102244.tif 000013
【図１２】
0003102244.tif 000014
【図１３】
0003102244.tif 000015
【図１４】
0003102244.tif 000016
【図１５】
0003102244.tif 000017
【図１６】
0003102244.tif 000018
【図１７】
0003102244.tif 000019
【図１８】
0003102244.tif 000020
【図１９】
0003102244.tif 000021